(57)【特許請求の範囲】
【請求項１】
商品を収納すると共に収納した商品を冷却する複数の商品収納室を有し、前記複数の商品収納室のいずれかに収納された商品を商品取出口に搬出するように構成された商品収納装置であって、
前記複数の商品収納室のうちの一部の商品収納室を収納した商品が搬出されない準備室に設定すると共に残りの商品収納室を収納した商品が搬出される商品搬出室に設定する制御部を含み、
前記制御部は、前記準備室に設定する商品収納室を所定時間の経過に応じて順次変更するように構成され、
前記商品は、過冷却状態で前記商品取出口に搬出される容器入り過冷却飲料であり、
前記準備室と前記商品搬出室とが常時存在する、
商品収納装置。
【請求項２】
前記所定時間は、冷却されていない商品が前記準備室に収納されてから適温となるまでに要する時間以上に設定される、請求項１に記載の商品収納装置。
【請求項３】
商品の補充を行うオペレータに対して前記準備室に設定されている商品収納室を認識させるように前記準備室に設定されている商品収納室を表示する表示手段をさらに含む、請求項１又は２に記載の商品収納装置。
【請求項４】
個別に点灯及び消灯され得る複数の発光部をさらに含み、
前記制御部は、前記準備室に設定する商品収納室の変更に連動して前記複数の発光部の点灯及び消灯の組み合わせを変更する、
請求項１〜３のいずれか一つに記載の商品収納装置。
【請求項５】
前記複数の商品収納室は、第１商品収納室及び第２商品収納室からなり、
前記制御部は、前記第１商品収納室及び前記第２商品収納室の一方を前記準備室に設定とすると共に他方を前記商品搬出室に設定する、
請求項１〜４のいずれか一つに記載の商品収納装置。
【請求項６】
前記複数の商品収納室は、第１〜第３商品収納室からなり、
前記制御部は、前記第１〜前記第３商品収納室のうちのいずれか一つの商品収納室を前記準備室に設定すると共に残りの二つの商品収納室を前記商品搬出室に設定する、
請求項１〜４のいずれか一つに記載の商品収納装置。
【請求項７】
前記商品取出口内の両側部に配置されて前記商品取出口内を照明する一対の照明装置をさらに含み、
前記制御部は、前記準備室に設定する商品収納室の変更に連動して前記一対の照明装置の点灯及び消灯の組み合わせを変更する、
請求項５又は６に記載の商品収納装置。
【発明の詳細な説明】
【技術分野】
【０００１】
本発明は、収納した商品を冷却又は加温すると共に、収納した商品を商品取出口に搬出するように構成された商品収納装置に関する。
【背景技術】
【０００２】
この種の商品収納装置の一例として自動販売機が知られている。ほとんどの自動販売機では、商品が売り切れると、新たな商品が商品格納庫に補充され、その後、補充された商品の冷却又は加温が行われる。そして、補充された商品が適温になるまでの間、商品の販売（換言すれば、商品の搬出）が停止される（例えば特許文献１参照）。
【先行技術文献】
【特許文献】
【０００３】
【特許文献１】特開平５−７３７６７号公報
【発明の概要】
【発明が解決しようとする課題】
【０００４】
ところで、上述のように、補充された商品が適温になるまで商品の販売（又は搬出）が停止されてしまうと、商品の販売機会の損失等を招くことになるので好ましくない。そのため、例えば、商品が売り切れる前に商品を適宜補充するようにして、上述のような商品の販売（又は搬出）の停止を抑制することが考えられる。
【０００５】
しかし、前記補充される商品は、冷却又は加温されていないため、商品の補充によって前記商品格納庫内の温度が変化する。このため、例えば商品の適温範囲が狭い場合には、商品の補充時に、すでに適温状態にある商品が適温範囲から外れてしまい、適温範囲外の商品が搬出されてしまうおそれがある。
【０００６】
そこで、本発明は、商品の適温範囲が狭い場合であっても適温状態にある商品を継続的に搬出することを可能とする商品収納装置を提供することを目的とする。
【課題を解決するための手段】
【０００７】
本発明の一側面によると、商品収納装置は、商品を収納すると共に収納した商品を冷却する複数の商品収納室を有し、前記複数の商品収納室のいずれかに収納された商品を商品取出口に搬出するように構成されている。前記商品収納装置は、前記複数の商品収納室のうちの一部の商品収納室を収納した商品が搬出されない準備室に設定すると共に残りの商品収納室を収納した商品が搬出される商品搬出室に設定する制御部を含み、前記制御部は、前記準備室に設定する商品収納室を所定時間の経過に応じて順次変更するように構成され、前記商品は、過冷却状態で前記商品取出口に搬出される容器入り過冷却飲料であり、前記準備室と前記商品搬出室とが常時存在する。
【発明の効果】
【０００８】
前記商品収納装置において、前記準備室に設定されていた商品収納室は、その後、前記商品搬出室に切り替わり、前記商品搬出室に設定されていた商品収納室は、その後、前記準備室に切り替えられる。このため、前記制御部が前記準備室に設定する商品収納室を適切な時期（タイミング）で変更すると共に、この変更（すなわち、前記準備室となる商品収納室の変更）に合わせて新たに前記準備室に設定された商品収納室に対して商品の補充を行うことによって、商品の適温範囲が狭い場合であっても適温状態にある商品を継続的に搬出することが可能になる。
【図面の簡単な説明】
【０００９】
【図１】本発明の一実施形態に係る商品収納装置の正面図である。
【図２】前記商品収納装置の内部（外扉が開かれた状態）を示す斜視図である。
【図３】前記商品収納装置の側面断面図である。
【図４】前記商品収納装置の制御ブロック図である。
【図５】前記商品収納装置の制御部による一対の照明装置の制御を説明するための図である。
【図６】前記商品収納装置の制御部による一対の照明装置の制御を説明するための図である。
【図７】前記商品収納装置の制御部による一対の照明装置の他の制御を説明するための図である。
【図８】前記商品収納装置の制御部による一対の照明装置の他の制御を説明するための図である。
【図９】前記商品収納装置の制御部による一対の照明装置の他の制御を説明するための図である。
【図１０】前記商品収納装置の変形例を示す図である。
【発明を実施するための形態】
【００１０】
以下、添付図面を参照して本発明の実施形態について説明する。実施形態に係る商品収納装置は、複数種類の商品（主に容器入り飲料が該当する）を収納すると共に収納した商品を冷却又は加温する。そして、前記商品収納装置は、カード等の情報記録媒体に記録された商品情報を読み取り、収納した商品のうち、読み取った商品情報に該当する商品を搬出するように構成されている。なお、以下の説明においては、前記カード等の情報記録媒体を「商品指定カード」という。また、本実施形態において、前記カード等の情報記録媒体（商品指定カード）には金銭情報は記録されておらず、前記商品収納装置は、商品を搬出する際に、残高確認や残高の書換え等の金銭処理を行わないものとする。
【００１１】
図１は、実施形態に係る商品収納装置１の正面図であり、図２は、商品収納装置１の内部（後述する外扉３が開かれた状態）を示す斜視図である。商品収納装置１は、前面が開口した箱型の装置本体２と、装置本体２の前面を開閉する外扉３と、外扉３の内側に配置された内扉４と、を有する。
【００１２】
装置本体２は、断熱構造の商品収納庫５を内部に有している。また、商品収納庫５の内部は、仕切壁５１によって、商品収納装置１の幅方向（左右方向）に並んだ第１商品収納室５２と第２商品収納室５３とに区画されている。第１商品収納室５２は、正面視左側に配置され、第２商品収納室５３は、正面視右側に配置されている。本実施形態において、第１商品収納室５２と第２商品収納室５３とは、ほぼ同形状・同構成を有しており、それぞれ商品Ｐを収納すると共に収納した商品を冷却又は加温することができるように構成されている。また、本実施形態において、第１商品収納室５２の内部と第２商品収納室５３の内部とは、基本的に同一の温度状態（設定温度）に保持される。
【００１３】
図３は、商品収納装置１の側面断面図であり、主に、第１商品収納室５２及び第２商品収納室５３の内部構造を示している。第１商品収納室５２（第２商品収納室５３も同様）には、第１商品収納室５２（第２商品収納室５３）内を冷却する冷却器５４と、第１商品収納室５２（第２商品収納室５３）内を加温する加温器５５とが設けられている。本実施形態において、冷却器５４は、図示省略の冷凍サイクル装置の構成要素である蒸発器であり、加温器５５は、ヒーターである。
【００１４】
また、第１商品収納室５２（第２商品収納室５３も同様）には、複数（ここでは三つ）の商品収納コラム５６が前後に配設されている。各商品収納コラム５６は、上下方向に延びる一対の商品通路５７を有する。そして、オペレータ等が商品収納コラム５６の上部の各商品投入口５８から商品Ｐを投入することによって各商品通路５７に商品Ｐが収納される。ここで、商品通路５７毎に商品Ｐの種類が割り当てられており、各商品通路５７には同種の商品Ｐが収納される。各商品収納コラム５６の下部には、一対の商品通路５７に対応させて二つの商品搬出機５９が背中合わせで配置されている。各商品搬出機５９は、対応する商品通路５７内に上下方向に積み重ねられて収納された商品Ｐのうち最下位の商品Ｐから順に落下させる。
【００１５】
外扉３は、商品収納装置１の幅方向（左右方向）における装置本体２の一端側（ここでは正面視左側）に回動自在に取り付けられている。外扉３の下部には、商品搬出機５９が落下させた商品は搬出される商品取出口３１が設けられている。なお、商品取出口３１については後述する。また、外扉３の前面（外側面）には、前記商品指定カードが投入されるカード投入口３２が設けられ、外扉３の背面（内側面）には、前記商品指定カードに記録された商品情報を読み取り及び／又は前記商品指定カードに所定の情報を書き込むカードリーダ／ライター３３と、前記商品指定カードを回収するためのカード回収ボックス３４が設けられている。
【００１６】
内扉４は、断熱構造を有し、商品収納庫５の開口部を覆うと共に、当該開口部を開閉可能に構成されている。内扉４の下部には、第１商品収納室５２内と商品取出口３１とを連通する第１商品搬出口４１と、第２商品収納室５３内と商品取出口３１とを連通する第２商品搬出口４２とが設けられている。第１商品搬出口４１と第２商品搬出口４２とは、第１商品収納室５２及び第２商品収納室５３に対応して商品収納装置１の幅方向（左右方向）に並んで配置されている。そして、第１商品収納室５２内の商品搬出機５９が落下させた商品Ｐ、すなわち、第１商品収納室５２に収納された商品Ｐは、第１商品搬出口４１を介して商品取出口３１に搬出され、第２商品収納室５３内の商品搬出機５９が落下させた商品Ｐ、すなわち、第２商品収納室５３に収納された商品Ｐは、第２商品搬出口４２を介して商品取出口３１に搬出されるようになっている。ここで、第１商品搬出口４１及び第２商品搬出口４２のそれぞれには、断熱性の低下を抑制するため、搬出扉４３が設けられている。搬出扉４３は、例えば、商品搬出機５９が落下させた商品によって押し開かれると共に自重によって閉じられるように構成されている。
【００１７】
商品取出口３１は、外扉３の前面下部に開口する開口部３１１と、開口部３１１を開閉する開閉扉３１２と、第１、第２商品搬出口４１、４２を介して搬出された商品Ｐを受容する商品受容部３１３と、を有している。
【００１８】
開口部３１１は、商品収納装置１の幅方向（左右方向）に延びる略矩形状に形成されている。開閉扉３１２は、合成樹脂などの透明板からなり、その上端が開口部３１１の上部近傍に回転可能に支持されている。開閉扉３１２は、その下端を前方に回転させることによって開口部３１１を開放し、自重によって開口部３１１を閉鎖するように構成されている。商品受容部３１３は、板金部材などによって浅皿状に形成されている。商品受容部３１３は、開口部３１１の幅方向寸法よりも大きな幅方向寸法を有しており、外扉３の背面側において開口部３１１の下方に位置するように外扉３に固定されている。商品受容部３１３の上面には、搬出された商品の受容するときの衝撃を吸収するための緩衝材（図示省略）が設けられている。また、商品受容部３１３の左右両端には、それぞれ開口部３１１の上部よりもわずかに上方まで延びる側板３１４がそれぞれ取り付けられており、両側板３１４、３１４の上部には、前方に向かって下り傾斜した上面板３１５が取り付けられている。
【００１９】
商品取出口３１内の左右両側部には、商品取出口３１内を照明する一対の照明装置３１６Ａ、３１６Ｂが設けられている。具体的には、商品収納装置１の幅方向（左右方向）において、一方の照明装置３１６Ａは、商品受容部３１３の上面の一端側（正面視左側、背面視右側）に設置され、他方の照明装置３１６Ｂは、商品受容部３１３の上面の他端側（正面視右側、背面視左側）に設置されている。一対の照明装置３１６Ａ、３１６Ｂは、商品取出口３１の内部を照明できればよく、形状や構成等は特に制限されないが、例えば、ＬＥＤ等の光源と、当該光源を収容する透光性のケースと、を有して構成され得る。
【００２０】
図４は、商品収納装置１の制御ブロック図である。商品収納装置１は、商品収納装置１の各種動作を制御する制御する制御部１０を有している。本実施形態において、制御部１０は、外扉３の背面に設けられており（図２参照）、信号線等を介してカードリーダ／ライター３３、冷却器５４を含む前記冷凍サイクル装置、加温器（ヒーター）５５、商品搬出機５９及び一対の照明装置３１６Ａ、３１６Ｂなどに接続されている。本実施形態において、制御部１０は、以下のような制御を実行する。
【００２１】
まず、制御部１０は、第１商品収納室５２内の温度及び第２商品収納室５３内の温度が所定の設定温度（設定冷却温度又は設定加温温度）となるように、第１商品収納室５２用の前記冷凍サイクル装置と第２商品収納室５３用の前記冷凍サイクル装置とを個別に制御し、又は、第１商品収納室５２用の加温器５５と第２商品収納室５３用の加温器５５とを個別に制御する。ここで、前記設定温度は、第１商品収納室５２と第２商品収納室５３とに共通するものであり、前記オペレータ等による図示省略の入力装置の操作によって入力され得る。
【００２２】
第１商品収納室５２内及び第２商品収納室５３内を冷却する場合、すなわち、第１商品収納室５２及び第２商品収納室５３に収納された商品Ｐを冷却する場合、制御部１０は、図示省略の温度センサによって検知される第１商品収納室５２内の温度が前記設定温度（前記設定冷却温度）の下限値以上かつ上限値以下となるように第１商品収納室５２用の前記冷凍サイクル装置を動作させる。同様に、制御部１０は、図示省略の温度センサによって検知される第２商品収納室５３内の温度が前記設定温度（前記設定冷却温度）の下限値以上かつ上限値以下となるように第２商品収納室５３用の前記冷凍サイクル装置を動作させる。
【００２３】
第１商品収納室５２内及び第２商品収納室５３内を加温する場合、すなわち、第１商品収納室５２及び第２商品収納室５３に収納された商品Ｐを加温する場合、制御部１０は、図示省略の温度センサによって検知される第１商品収納室５２内の温度が前記設定温度（前記設定加温温度）の下限値以上かつ上限値以下となるように第１商品収納室５２用の加温器５５を動作させる。同様に、制御部１０は、図示省略の温度センサによって検知される第２商品収納室５３内の温度が前記設定温度（前記設定加温温度）の下限値以上かつ上限値以下となるように第２商品収納室５３用の加温器５５を動作させる。
【００２４】
また、制御部１０は、カードリーダ／ライター３３がカード投入口３２に投入された前記商品指定カードから読み取った商品情報を入力すると、該当する商品搬出機５９、すなわち、入力された商品情報に該当する商品Ｐを収納した商品通路５７用の商品搬出機５９に対して商品搬出信号を出力する。すると、前記商品搬出信号を入力した商品搬出機５９が動作して商品通路５７内の最下位の商品Ｐを落下させる。これにより、カードリーダ／ライター３３の読み取った商品情報に該当する商品Ｐが商品取出口３１に搬出される。
【００２５】
さらに、本実施形態において、制御部１０は、第１商品収納室５２及び第２商品収納室５３の一方を収納した商品Ｐが搬出されない準備室に設定すると共に、第１商品収納室５２及び第２商品収納室５３の他方を収納した商品Ｐが搬出される商品搬出室に設定する。そして、制御部１０は、前記準備室に設定する商品収納室を順次変更する。換言すれば、制御部１０は、第１商品収納室５２及び第２商品収納室５３の一方を、収納した商品の搬出を停止した搬出停止状態とすると共に、第１商品収納室５２及び第２商品収納室５３の他方を、収納した商品を搬出する搬出状態とする。そして、制御部１０は、前記搬出停止状態とする商品収納室を順次変更する。制御部１０は、前記準備室に設定する商品収納室（前記搬出停止状態とする商品収納室）を周期的に変更するようにしてもよい。また、制御部１０は、前記オペレータ等による前記入力装置の操作に基づき前記準備室に設定する商品収納室を順次変更してよいし、所定の変更タイミングで前記準備室に設定する商品収納室を順次変更してもよい。これにより、商品収納装置１は、第１商品収納室５２及び第２商品収納室５３の一方に収納された商品のみを商品取出口３１に搬出することになる。
【００２６】
例えば、制御部１０は、第１商品収納室５２を前記準備室に設定する共に第２商品収納室５３を前記商品搬出室に設定する。この場合、制御部１０は、前記準備室に設定された第１商品収納室５２内の各商品搬出機５９には前記商品搬出信号を出力せず、前記商品搬出室に設定された第２商品収納室５３内の商品搬出機５９のうち該当する商品搬出機５９に対して前記商品搬出信号を出力するようになる。そして、あらかじめ決められた所定時間が経過すると、前記オペレータ等による前記入力装置の操作により、制御部１０は、第２商品収納室５３を前記準備室に設定すると共に第１商品収納室５２を前記商品搬出室に設定し、その後、さらに前記所定時間が経過した後の前記オペレータ等による前記入力装置の操作により、制御部１０は、第１商品収納室５２を前記準備室に設定すると共に第２商品収納室５３を前記商品搬出室に設定する。制御部１０は、このような前記準備室及び前記商品搬出室の設定を繰り返し実行する。したがって、商品収納装置１には、常時、前記準備室と前記商品搬出室とが存在し、かつ、これらが順次に（ここでは周期的に）切り替わることになる。ここで、前記所定時間は、必ずしも一定である必要はなく、外部環境などに応じて適宜変更され得る。また、制御部１０は、内蔵するタイマー等に基づいて、上述の前記準備室及び前記商品搬出室の設定を実行するようにしてもよい。この場合、前記所定時間は、商品Ｐの適温（前記設定温度）などに応じて適宜設定され得るが、好ましくは、冷却及び加温されていない商品Ｐが第１商品収納室５２又は第２商品収納室５３に収納されてから適温（前記設定温度）となるまでに要する時間又はそれよりも長い時間に設定される。
【００２７】
このように前記準備室に設定する商品収納室を順次変更するのは、商品Ｐの適温範囲が狭い場合であっても、商品収納装置１が適温状態にある商品Ｐを継続的に搬出することを可能にするためである。すなわち、具体的には、商品収納装置１に対する商品Ｐの補充が、前記準備室に設定する商品収納室の変更に合わせて新たに前記準備室に設定された商品収納室に対して行われるようにする。これにより、前記商品搬出室に設定された商品収納庫内の温度（すなわち、搬出される可能性のある商品Ｐの温度状態）に影響を与えることなく、商品収納装置１に対する商品Ｐの補充が可能である。また、補充された商品Ｐは、前記準備室に設定された商品収納室が前記商品搬出室に切り替わるまでの間に適温又はそれに近い状態になり得る。このため、補充された商品Ｐは、前記準備室が前記商品収納室に切り替わった後、速やかに適温状態の商品Ｐとして搬出され得る。この結果、商品Ｐの適温範囲が狭い場合であっても、商品収納装置１は、適温状態にある商品Ｐを継続的に搬出することが可能になるのである。
【００２８】
ところで、前記オペレータ等による商品Ｐの補充が確実に前記準備室に設定された商品収納室に対して行われるようにするためには、前記オペレータ等に対して、第１商品収納室５２及び第２商品収納室５３のいずれが前記準備室に設定されているかを認識させる必要がある。そこで、本実施形態においては、商品取出口３１内を照明する一対の照明装置３１６Ａ、３１６Ｂを利用して前記準備室に設定されている商品収納室を表示するようにしている。具体的には、制御部１０が、以下に説明するように、前記準備室に設定する商品収納室の変更（すなわち、前記準備室の変更）に連動して、一対の照明装置３１６Ａ、３１６Ｂの点灯及び消灯の組み合わせを変更し、これによって、一対の照明装置３１６Ａ、３１６Ｂに、前記準備室に設定されている商品収納室を表示させる。
【００２９】
図５、図６は、制御部１０による一対の照明装置３１６Ａ、３１６Ｂの制御を説明するための図である。なお、図５（Ａ）及び図６（Ａ）は、商品収納装置１（外扉３：閉）を正面から見た状態を模式的に示した説明図であり、図５（Ｂ）及び図６（Ｂ）は、外扉３が開かれている状態を模式的に示した説明図である。上述のように、商品収納装置１において、第１商品収納室５２は正面視左側に配置され、第２商品収納室５３は正面視右側に配置されている。また、一対の照明装置３１６Ａ、３１６Ｂのうち、一方の照明装置３１６Ａは、第１商品収納室５２と同様に、正面視左側に配置され、他方の照明装置３１６Ｂは、第２商品収納室５３と同様に、正面視右側に配置されている。
【００３０】
制御部１０は、第１商品収納室５２を前記準備室に設定すると共に第２商品収納室５３を前記商品搬出室に設定した場合、正面視右側に配置された照明装置３１６Ｂを点灯させる一方、正面視左側に配置された照明装置３１６Ａを消灯させる（図５（Ａ））。また、制御部１０は、外扉３が開かれたときにおいても、照明装置３１６Ｂの点灯状態及び照明装置３１６Ａの消灯状態を維持する。この場合においては、前記商品搬出室に設定された第２商品収納室５３に収納された商品Ｐが商品取出口３１に搬出される。したがって、照明装置３１６Ｂを点灯させることによって、商品取出口３１における商品Ｐの搬出位置（商品Ｐの取り出し位置）を示すことができると共に、商品取出口３１内において、搬出された商品Ｐを効率的に照明することができる。
【００３１】
また、商品Ｐの充填は、外扉３が開かられた状態で行われる。このため、前記オペレータ等は、商品Ｐを補充する際、外扉３を背面側から見ることなる。このとき、点灯している照明装置３１６Ｂは、前記オペレータ等から見て左側、すなわち、前記準備室に設定されている第１商品収納室５２に対応する位置となり、消灯している照明装置３１６Ａは、前記オペレータ等から見て右側、すなわち、前記商品搬出室に設定されている第１商品収納室５２に対応する位置となる（図５（Ｂ））。したがって、前記オペレータ等は、商品Ｐの補充を行う際に照明装置３１６Ａ、３１６Ｂを確認することによって、点灯している照明装置３１６Ｂ側、すなわち、前記オペレータ等から見て左側の第１商品収納室５２が商品Ｐの補充を行う前記準備室であると容易に把握することができる。これにより、前記オペレータ等が前記商品搬出室に設定されている第２商品収納室５３に対して誤って商品Ｐを補充してしまうことが防止される。
【００３２】
一方、制御部１０は、第２商品収納室５３を前記準備室に設定すると共に第１商品収納室５２を前記商品搬出室に設定した場合、正面視左側に配置された照明装置３１６Ａを点灯させる一方、正面視右側に配置された照明装置３１６Ｂを消灯させる（図６（Ａ））。また、制御部１０は、外扉３が開かれたときにおいても、照明装置３１６Ａの点灯状態及び照明装置３１６Ｂの消灯状態を維持する。この場合においては、第１商品収納室５２に収納された商品Ｐが商品取出口３１に搬出される。したがって、照明装置３１６Ａを点灯させることによって、商品取出口３１における商品Ｐの搬出位置を示すことができると共に、商品取出口３１内において、搬出された商品Ｐを効率的に照明することができる。
【００３３】
また、点灯している照明装置３１６Ａは、商品Ｐの補充を行う前記オペレータ等から見て右側、すなわち、前記準備室に設定されている第２商品収納室５３に対応する位置となる（図６（Ｂ））。したがって、前記オペレータ等は、商品Ｐの補充を行う際、点灯している照明装置３１６Ａ側に位置する商品収納室、すなわち、前記オペレータ等から見て右側の第２商品収納室５３が商品Ｐの補充を行う前記準備室であると容易に把握することができる。これにより、前記オペレータ等が前記商品搬出室に設定されている第１商品収納室５２に対して誤って商品Ｐを補充してしまうことが防止される。
【００３４】
このように、上述の実施形態において、商品収納装置１は、商品Ｐを収納すると共に収納した商品Ｐを冷却又は加温する第１商品収納室５２及び第２商品収納室５３を有しており、第１商品収納室５２又は第２商品収納室５３に収納された商品を商品取出口３１に搬出するように構成されている。商品収納装置１の制御部１０は、第１商品収納室５２及び第２商品収納室５３の一方を前記準備室に設定すると共に第１商品収納室５２及び第２商品収納室５３の他方を前記商品搬出室に設定する。そして、制御部１０は、前記準備室に設定する商品収納室を順次変更するように構成されている。このため、制御部１０が前記準備室に設定する商品収納室を適切な時期（タイミング）で変更する、すなわち、制御部１０が前記準備室の変更を適切な時期（タイミング）で行うと共に、前記準備室の変更時期（変更タイミング）に合わせて、新たに前記準備室に設定された商品収納室に対して商品Ｐの補充を行うようにすることによって、商品Ｐの適温範囲が狭い場合であっても、商品収納装置１が適温状態にある商品Ｐを継続的に搬出することが可能になる。なお、適温範囲が狭い商品としては、特に制限されるものではないが、例えば過冷却状態で提供する必要がある容器入り飲料（過冷却飲料）が該当する。
【００３５】
また、上述の実施形態において、制御部１０は、前記準備室に設定する商品収納室の変更（すなわち、前記準備室の変更）に連動して一対の照明装置３１６Ａ、３１６Ｂの点灯及び消灯の組み合わせを変更し、これによって、一対の照明装置３１６Ａ、３１６Ｂに、そのときに前記準備室に設定されている商品収納室を表示させるようにしている。このため、専用の部品を追加することなく、商品Ｐの補充を行う前記オペレータ等に対して第１商品収納室５２及び第２商品収納室５３のいずれが前記準備室に設定されているかを認識させることができ、この結果、前記オペレータ等が誤って前記商品搬出室に設定されている商品収納室に商品Ｐを補充してしまうことが防止される。
【００３６】
なお、上述の実施形態においては、一対の照明装置３１６Ａ、３１６Ｂが本発明の「表示手段」及び「複数の発光部」に相当する。
【００３７】
ところで、上述の実施形態において、商品収納装置１は、幅方向（左右方向）に並んで配置された二つの商品収納室（第１商品収納室５２、第２商品収納室５３）を有し、制御部１０は、いずれか一方の商品収納室を前記準備室に設定すると共に他方の商品収納室を前記商品搬出室に設定している。しかし、これに限られるものではない。商品収納装置１は、幅方向（左右方向）に並んで配置された三つの商品収納室を有してもよい。この場合において、制御部１０は、例えば、前記三つの商品収納室のうちのいずれか一つを前記準備室に設定すると共に残りの二つを前記商品搬出室に設定し、かつ、前記準備室に設定する商品収納室を周期的に変更するようにすればよい。
【００３８】
また、商品収納装置１が三つの商品収納室を有する場合においても、制御部１０が、前記準備室に設定する商品収納室の変更（前記準備室の変更）に連動して一対の照明装置３１６Ａ、３１６Ｂの点灯及び消灯の組み合わせを変更することによって、一対の照明装置３１６Ａ、３１６Ｂに、そのときに前記準備室に設定されている商品収納室を表示させることが可能である。以下、図７−図９を参照して説明する。なお、以下の説明においては正面視左側に配置される商品収納室を第１商品収納室１５２とし、正面視右側に配置される商品収納室を第２商品収納室１５３とし、第１商品収納室１５２と第２商品収納室１５３との間に配置される商品収納室を第３商品収納室１５４とする。
【００３９】
図７−図９は、商品収納装置１が三つの商品収納室を有する場合における制御部１０による一対の照明装置３１６Ａ、３１６Ｂの制御を説明するための図である。なお、図５、図６と同様、図７（Ａ）、図８（Ａ）及び図９（Ａ）は、商品収納装置１（外扉３：閉）を正面から見た状態を模式的に示した説明図であり、図７（Ｂ）、図８（Ｂ）及び図９（Ｂ）は、外扉３が開かられている状態を模式的に示した説明図である。
【００４０】
制御部１０は、第１商品収納室１５２を前記準備室に設定すると共に第２商品収納室１５３及び第３商品収納室１５４を前記商品搬出室に設定する場合、正面視右側に配置された照明装置３１６Ｂを点灯させる一方、正面視左側に配置された照明装置３１６Ａを消灯させる（図７（Ａ））。そして、制御部１０は、外扉３が開かれたときにおいても、照明装置３１６Ｂの点灯状態及び照明装置３１６Ａの消灯状態を維持する。この場合においては、第２商品収納室１５３又は第３商品収納室１５４に収納された商品Ｐが商品取出口３１に搬出される。したがって、正面視右側に配置された照明装置３１６Ｂを点灯させることによって、商品取出口３１内において、搬出された商品Ｐを効率的に照明することができる。また、点灯している照明装置３１６Ｂは、商品Ｐを補充する前記オペレータ等から見て左側、すなわち、前記準備室に設定されている第１商品収納室１５２に対応する位置となる（図７（Ｂ））。したがって、前記オペレータ等は、商品Ｐの補充を行う際、点灯している照明装置３１６Ｂ側に位置する商品収納室、すなわち、前記オペレータ等から見て左側の第１商品収納室１５２が商品Ｐの補充を行う前記準備室であると容易に把握することができる。これにより、前記オペレータ等が前記商品搬出室に設定されている第２、第３商品収納室１５３、１５４に対して誤って商品Ｐを補充してしまうことが防止される。
【００４１】
制御部１０は、第２商品収納室１５３を前記準備室に設定すると共に第１商品収納室１５２及び第３商品収納室１５４を前記商品搬出室に設定する場合、正面視左側に配置された照明装置３１６Ａを点灯させる一方、正面視右側に配置された照明装置３１６Ｂを消灯させる（図８（Ａ））。そして、制御部１０は、外扉３が開かれたときにおいても、照明装置３１６Ａの点灯状態及び照明装置３１６Ｂの消灯状態を維持する。この場合においては、第１商品収納室１５２又は第３商品収納室１５４に収納された商品Ｐが商品取出口３１に搬出される。したがって、正面視左側に配置された照明装置３１６Ａを点灯させることによって、商品取出口３１内において、搬出された商品Ｐを効率的に照明することできる。また、点灯している照明装置３１６Ａは、商品Ｐの補充を行う前記オペレータ等から見て右側、すなわち、前記準備室に設定されている第２商品収納室１５３に対応する位置となる（図８（Ｂ））。したがって、前記オペレータ等は、商品Ｐの補充を行う際、点灯している照明装置３１６Ａ側に位置する商品収納室、すなわち、正面視右側の第２商品収納室１５３が商品Ｐの補充を行う前記準備室であると容易に把握することができる。これにより、前記オペレータ等が前記商品搬出室に設定されている第１、第３商品収納室１５２、１５４に対して誤って商品Ｐを補充してしまうことが防止される。
【００４２】
制御部１０は、第３商品収納室１５４を前記準備室に設定すると共に第１商品収納室１５２及び第２商品収納室１５３を前記商品搬出室に設定する場合、一対の照明装置３１６Ａ、３１６Ｂの両方を点灯させる（図９（Ａ））。そして、制御部１０は、外扉３が開かれたときにおいても、照明装置３１６Ａ及び照明装置３１６Ｂの点灯状態を維持する。この場合においては、第１商品収納室１５２又は第２商品収納室１５３に収納された商品Ｐが商品取出口３１に搬出される。したがって、一対の照明装置３１６Ａ、３１６ｂの両方を点灯させることによって、商品取出口３１内において、搬出された商品Ｐが確実に照明され得る。また、この場合、前記オペレータ等は、一対の照明装置３１６Ａ、３１６ｂの両方が点灯している状態を見ることになるが、前記準備室に設定されている商品収納室は一つだけである。そこで、前記オペレータ等は、点灯している照明装置３１６Ａ、３１６Ｂのいずれにも対応していない第３商品収納室１５４が商品Ｐの補充を行う前記準備室である把握することができる。これにより、前記オペレータ等が前記商品搬出室に設定されている第１、第２商品収納室１５２、１５３に対して誤って商品Ｐを補充してしまうことが防止される。
【００４３】
また、以上では、商品取出口３１内を照明する一対の照明装置３１６Ａ、３１６Ｂに、そのときに前記準備室に設定されている商品収納室を表示させるようにしているが、これに限られるものではない。例えば、図１０に示すように、商品収納装置１が、外扉３の背面に、複数（商品収納室と同数であり、ここでは三つ）の発光部２００ａを有した表示装置２００を有してもよい。発光部２００ａは、例えばＬＥＤ等することができる。この場合、商品収納装置１は、三つ以上の商品収納室を有することができ、複数の発光部２００ａのそれぞれは、複数の商品収納室のそれぞれに対応するように設けられる。また、商品収納装置１が四つ以上の商品収納室を有する場合、制御部１０は、二つの商品収納室を前記準備室に設定することも可能である。
【００４４】
そして、制御部１０は、前記準備室に設定する商品収納室の変更（前記準備室の変更）に連動して、表示装置２００の複数の発光部２００ａの点灯及び消灯の組み合わせを変更することによって、表示装置２００に、そのときに前記準備室に設定されている商品収納室を表示させる。例えば、制御部１０は、前記準備室に設定した商品収納室に対応する発光部２００ａを点灯させると共に前記商品搬出室に設定した商品収納室に対応する発光部２００ａを消灯させ、これによって、表示装置２００に、前記準備室に設定されている商品収納室を表示させることができる。あるいは、制御部１０は、前記準備室に設定した商品収納室に対応する発光部２００ａを消灯させると共に前記商品搬出室に設定した商品収納室に対応する発光部２００ａを点灯させ、これによって、表示装置２００に、前記準備室に設定されている商品収納室を表示させることができる。
【００４５】
なお、ここでの詳細な説明は省略するが、一対の照明装置３１６Ａ、３１６Ｂや表示装置２００に代えて、前記準備室及び／又は前記商品搬出室を示す表示板など適宜装着することによって、そのときに前記準備室に設定されている商品収納室を表示させるようにしてもよいことはもちろんである。
【００４６】
以上、本発明の実施形態及びその変形例について説明したが、本発明は上述の実施形態や変形例に限定されるものではなく、本発明の技術的思想に基づいて更なる変形や変更が可能である。
【符号の説明】
【００４７】
１…商品収納装置
５…商品収納庫
１０…制御部
３１…商品取出口
５２，１５２…第１商品収納室
５３，１５３…第２商品収納室
５４…冷却器
５５…加温器
５９…商品搬出機
１５４…第３商品収納室
３１６Ａ、３１６Ｂ…照明装置
Ｐ…商品
【図１】
0006712468.tif 000002
【図２】
0006712468.tif 000003
【図３】
0006712468.tif 000004
【図４】
0006712468.tif 000005
【図５】
0006712468.tif 000006
【図６】
0006712468.tif 000007
【図７】
0006712468.tif 000008
【図８】
0006712468.tif 000009
【図９】
0006712468.tif 000010
【図１０】
0006712468.tif 000011